【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
印刷ジョブを出力する画像処理装置と通信可能に接続され、ユーザの指示に応じて情報処理装置から送信された印刷ジョブを蓄積する印刷サーバと、複数の前記印刷サーバを管理する印刷管理サーバとが通信可能に接続された印刷管理システムであって、
前記印刷管理サーバは、
前記情報処理装置から送信された印刷ジョブの送信先であって、前記ユーザごとに設定された送信先である印刷サーバを示すホームサーバ情報と、前記ホームサーバ情報が示す印刷サーバを当該印刷サーバとは異なる印刷サーバに変更する変更期間を示す変更期間情報とを記憶する記憶手段と、
現在日時が、前記記憶手段に記憶された変更期間情報が示す変更期間内であるか否かを判定する第１の変更期間判定手段と、
前記第１の変更期間判定手段で現在日時が変更期間内であると判定された場合には、前記ホームサーバ情報が示す印刷サーバとは異なる印刷サーバと通信可能に接続された画像処理装置から印刷ジョブを出力すべく、前記記憶手段に記憶されたホームサーバ情報が示す印刷サーバに蓄積された前記ユーザの印刷ジョブを、前記ユーザから指定された印刷サーバに対して転送するよう、前記ホームサーバ情報が示す印刷サーバに対して指示を行う第１の印刷ジョブ転送指示手段と
を備え、
前記印刷サーバは、
前記第１の印刷ジョブ転送指示手段で前記ユーザの印刷ジョブの転送を指示された場合、前記ユーザから指定された印刷サーバに対して、蓄積された前記ユーザの印刷ジョブを転送する印刷ジョブ転送手段
を備えることを特徴とする印刷管理システム。
【請求項２】
前記印刷管理システムは、前記印刷サーバと、印刷ジョブを出力する画像処理装置とが通信可能に接続された複数の印刷システムから構成され、
前記画像処理装置は、
前記ユーザの指示に応じて、当該画像処理装置と通信可能に接続された印刷サーバに対して、当該ユーザの印刷ジョブの取得要求を送信する印刷ジョブ取得要求手段と、
前記印刷ジョブ取得要求手段で送信された取得要求に応じて、当該画像処理装置と通信可能に接続された印刷サーバから送信された、前記ユーザの印刷ジョブを受信する印刷ジョブ受信手段とを更に備えることを特徴とする請求項１に記載の印刷管理システム。
【請求項３】
前記印刷管理サーバは、
現在日時が、前記記憶手段に記憶された変更期間情報が示す変更期間を過ぎたか否かを判定する第２の変更期間判定手段と、
前記第２の変更期間判定手段で現在日時が変更期間を過ぎたと判定された場合には、前記ユーザの印刷ジョブを前記記憶手段に記憶されたホームサーバ情報が示す印刷サーバに戻すべく、前記第１の印刷ジョブ転送指示手段で印刷ジョブの転送指示を行った印刷サーバに蓄積された前記ユーザの印刷ジョブを、前記記憶手段に記憶されたホームサーバ情報が示す印刷サーバに対して転送するよう、前記転送指示を行った印刷サーバに対して指示を行う第２の印刷ジョブ転送指示手段とを更に備え、
前記印刷ジョブ転送手段は、更に前記第２の印刷ジョブ転送指示手段で前記ユーザの印刷ジョブの転送を指示された場合、前記記憶手段に記憶されたホームサーバ情報が示す印刷サーバに対して、蓄積された前記ユーザの印刷ジョブを転送することを特徴とする請求項１または２に記載の印刷管理システム。
【請求項４】
前記画像処理装置は、
前記ユーザからの指示に応じて、当該ユーザの印刷ジョブの取得要求を当該画像処理装置と通信可能に接続された前記印刷サーバに対して送信する印刷ジョブ取得要求送信手段を更に備え、
前記印刷サーバは、
前記記憶手段に記憶された前記ホームサーバ情報と前記変更期間情報とを取得し記憶する印刷サーバ記憶手段と、
前記画像処理装置からの要求に応じて、前記画像処理装置を使用するユーザの印刷ジョブを前記印刷サーバ記憶手段に記憶されたホームサーバ情報が示す印刷サーバから取得し蓄積する印刷ジョブ取得手段を更に備えることを特徴とする請求項２または３に記載の印刷管理システム。
【請求項５】
前記印刷管理サーバは、
前記第１の変更期間判定手段で現在日時が変更期間内であると判定された場合には、前記ホームサーバ情報を、当該ホームサーバ情報が示す印刷サーバとは異なる印刷サーバに変更するホームサーバ情報変更手段を更に備えることを特徴とする請求項３に記載の印刷管理システム。
【請求項６】
前記印刷管理サーバは、
前記第２の変更期間判定手段で現在日時が変更期間を過ぎたと判定された場合には、前記ホームサーバ情報変更手段によって変更されたホームサーバ情報が示す印刷サーバを、元の印刷サーバに戻すホームサーバ情報復帰手段を更に備えることを特徴とする請求項５に記載の印刷管理システム。
【請求項７】
印刷ジョブを出力する画像処理装置と通信可能に接続され、ユーザの指示に応じて情報処理装置から送信された印刷ジョブを蓄積する印刷サーバと、前記情報処理装置から送信された印刷ジョブの送信先であって、前記ユーザごとに設定された送信先である印刷サーバを示すホームサーバ情報と、前記ホームサーバ情報が示す印刷サーバを当該印刷サーバとは異なる印刷サーバに変更する変更期間を示す変更期間情報とを記憶する記憶手段を備え、複数の前記印刷サーバを管理する印刷管理サーバとが通信可能に接続された印刷管理システムの制御方法であって、
前記印刷管理サーバは、
前記印刷管理サーバの第１の変更期間判定手段が、現在日時が、前記記憶手段に記憶された変更期間情報が示す変更期間内であるか否かを判定する第１の変更期間判定ステップと、
前記印刷管理サーバの第１の印刷ジョブ転送指示手段が、前記第１の変更期間判定ステップで現在日時が変更期間内であると判定された場合には、前記ホームサーバ情報が示す印刷サーバとは異なる印刷サーバと通信可能に接続された画像処理装置から印刷ジョブを出力すべく、前記記憶手段に記憶されたホームサーバ情報が示す印刷サーバに蓄積された前記ユーザの印刷ジョブを、前記ユーザから指定された印刷サーバに対して転送するよう、前記ホームサーバ情報が示す印刷サーバに対して指示を行う第１の印刷ジョブ転送指示ステップと、
前記印刷サーバの印刷ジョブ転送手段が、前記第１の印刷ジョブ転送指示ステップで前記ユーザの印刷ジョブの転送を指示された場合、前記ユーザから指定された印刷サーバに対して、蓄積された前記ユーザの印刷ジョブを転送する印刷ジョブ転送ステップと
を備えることを特徴とする印刷管理システムの制御方法。
【請求項８】
印刷ジョブを出力する画像処理装置と通信可能に接続され、ユーザの指示に応じて情報処理装置から送信された印刷ジョブを蓄積する印刷サーバと、前記情報処理装置から送信された印刷ジョブの送信先であって、前記ユーザごとに設定された送信先である印刷サーバを示すホームサーバ情報と、前記ホームサーバ情報が示す印刷サーバを当該印刷サーバとは異なる印刷サーバに変更する変更期間を示す変更期間情報とを記憶する記憶手段を備え、複数の前記印刷サーバを管理する印刷管理サーバとが通信可能に接続された印刷管理システムの制御方法をコンピュータに実行させるためのコンピュータに読み取り可能なプログラムであって、
前記印刷管理サーバを、
現在日時が、前記記憶手段に記憶された変更期間情報が示す変更期間内であるか否かを判定する第１の変更期間判定手段と、
前記第１の変更期間判定手段で現在日時が変更期間内であると判定された場合には、前記ホームサーバ情報が示す印刷サーバとは異なる印刷サーバと通信可能に接続された画像処理装置から印刷ジョブを出力すべく、前記記憶手段に記憶されたホームサーバ情報が示す印刷サーバに蓄積された前記ユーザの印刷ジョブを、前記ユーザから指定された印刷サーバに対して転送するよう、前記ホームサーバ情報が示す印刷サーバに対して指示を行う第１の印刷ジョブ転送指示手段
として機能させ、
前記印刷サーバを、
前記第１の印刷ジョブ転送指示手段で前記ユーザの印刷ジョブの転送を指示された場合、前記ユーザから指定された印刷サーバに対して、蓄積された前記ユーザの印刷ジョブを転送する印刷ジョブ転送手段
として機能させることを特徴とするプログラム。
【請求項９】
印刷ジョブを出力する画像処理装置と通信可能に接続され、ユーザの指示に応じて情報処理装置から送信された印刷ジョブを蓄積する印刷サーバと通信可能に接続された、複数の前記印刷サーバを管理する印刷管理サーバであって、
前記情報処理装置から送信された印刷ジョブの送信先であって、前記ユーザごとに設定された送信先である印刷サーバを示すホームサーバ情報と、前記ホームサーバ情報が示す印刷サーバを当該印刷サーバとは異なる印刷サーバに変更する変更期間を示す変更期間情報とを記憶する記憶手段と、
現在日時が、前記記憶手段に記憶された変更期間情報が示す変更期間内であるか否かを判定する第１の変更期間判定手段と、
前記第１の変更期間判定手段で現在日時が変更期間内であると判定された場合には、前記ホームサーバ情報が示す印刷サーバとは異なる印刷サーバと通信可能に接続された画像処理装置から印刷ジョブを出力すべく、前記記憶手段に記憶されたホームサーバ情報が示す印刷サーバに蓄積された前記ユーザの印刷ジョブを、前記ユーザから指定された印刷サーバに対して転送するよう、前記ホームサーバ情報が示す印刷サーバに対して指示を行う第１の印刷ジョブ転送指示手段と
を備えることを特徴とする印刷管理サーバ。
【請求項１０】
印刷ジョブを出力する画像処理装置と通信可能に接続され、ユーザの指示に応じて情報処理装置から送信された印刷ジョブを蓄積する印刷サーバと通信可能に接続され、複数の前記印刷サーバを管理する印刷管理サーバであって、前記情報処理装置から送信された印刷ジョブの送信先であって、前記ユーザごとに設定された送信先である印刷サーバを示すホームサーバ情報と、前記ホームサーバ情報が示す印刷サーバを当該印刷サーバとは異なる印刷サーバに変更する変更期間を示す変更期間情報とを記憶する記憶手段を備えた印刷管理サーバの制御方法であって、
前記印刷管理サーバの第１の変更期間判定手段が、現在日時が、前記記憶手段に記憶された変更期間情報が示す変更期間内であるか否かを判定する第１の変更期間判定ステップと、
前記印刷管理サーバの第１の印刷ジョブ転送指示手段が、前記第１の変更期間判定ステップで現在日時が変更期間内であると判定された場合には、前記ホームサーバ情報が示す印刷サーバとは異なる印刷サーバと通信可能に接続された画像処理装置から印刷ジョブを出力すべく、前記記憶手段に記憶されたホームサーバ情報が示す印刷サーバに蓄積された前記ユーザの印刷ジョブを、前記ユーザから指定された印刷サーバに対して転送するよう、前記ホームサーバ情報が示す印刷サーバに対して指示を行う第１の印刷ジョブ転送指示ステップと
を備えることを特徴とする印刷管理サーバの制御方法。
【請求項１１】
印刷ジョブを出力する画像処理装置と通信可能に接続され、ユーザの指示に応じて情報処理装置から送信された印刷ジョブを蓄積する印刷サーバと通信可能に接続され、複数の前記印刷サーバを管理する印刷管理サーバであって、前記情報処理装置から送信された印刷ジョブの送信先であって、前記ユーザごとに設定された送信先である印刷サーバを示すホームサーバ情報と、前記ホームサーバ情報が示す印刷サーバを当該印刷サーバとは異なる印刷サーバに変更する変更期間を示す変更期間情報とを記憶する記憶手段を備えた印刷管理サーバの制御方法をコンピュータに実行させるためのコンピュータに読み取り可能なプログラムであって、
前記印刷管理サーバを、
現在日時が、前記記憶手段に記憶された変更期間情報が示す変更期間内であるか否かを判定する第１の変更期間判定手段と、
前記第１の変更期間判定手段で現在日時が変更期間内であると判定された場合には、前記ホームサーバ情報が示す印刷サーバとは異なる印刷サーバと通信可能に接続された画像処理装置から印刷ジョブを出力すべく、前記記憶手段に記憶されたホームサーバ情報が示す印刷サーバに蓄積された前記ユーザの印刷ジョブを、前記ユーザから指定された印刷サーバに対して転送するよう、前記ホームサーバ情報が示す印刷サーバに対して指示を行う第１の印刷ジョブ転送指示手段
として機能させることを特徴とするプログラム。
【請求項１２】
請求項８に記載のプログラムを格納することを特徴とするコンピュータで読み取り可能な記録媒体。
【請求項１３】
請求項１１に記載のプログラムを格納することを特徴とするコンピュータで読み取り可能な記録媒体。
【手続補正２】
【補正対象書類名】明細書
【補正対象項目名】発明の名称
【補正方法】変更
【補正の内容】
【発明の名称】印刷管理システム、その制御方法、プログラム、及びプログラムを記録した記録媒体、並びに印刷管理サーバ、その制御方法、プログラム、及びプログラムを記録した記録媒体
【手続補正３】
【補正対象書類名】明細書
【補正対象項目名】０００１
【補正方法】変更
【補正の内容】
【０００１】
本発明は、印刷サーバと印刷管理サーバと印刷装置と端末装置とが、ネットワークを介して接続されたシステムにおいて、ユーザが常時利用する印刷サーバであるホームサーバから印刷ジョブを一時的にあらかじめ転送することが可能な印刷管理システム、その制御方法、プログラム、及びプログラムを記録した記録媒体、並びに印刷管理サーバ、その制御方法、プログラム、及びプログラムを記録した記録媒体に関する。
【手続補正４】
【補正対象書類名】明細書
【補正対象項目名】０００９
【補正方法】変更
【補正の内容】
【０００９】
本発明は上記の課題を解決するためになされたもので、本発明の目的は、ユーザの印刷ジョブを一時的にあらかじめ転送しておくことで、印刷までの待ち時間を減らすことができる印刷管理システム、その制御方法、プログラム、及びプログラムを記録した記録媒体、並びに印刷管理サーバ、その制御方法、プログラム、及びプログラムを記録した記録媒体を提供することである。
【手続補正５】
【補正対象書類名】明細書
【補正対象項目名】００１０
【補正方法】変更
【補正の内容】
【００１０】
上記の目的を達成するために、請求項１に記載の印刷管理システムは、印刷ジョブを出力する画像処理装置と通信可能に接続され、ユーザの指示に応じて情報処理装置から送信された印刷ジョブを蓄積する印刷サーバと、複数の前記印刷サーバを管理する印刷管理サーバとが通信可能に接続された印刷管理システムであって、前記印刷管理サーバは、前記情報処理装置から送信された印刷ジョブの送信先であって、前記ユーザごとに設定された送信先である印刷サーバを示すホームサーバ情報と、前記ホームサーバ情報が示す印刷サーバを当該印刷サーバとは異なる印刷サーバに変更する変更期間を示す変更期間情報とを記憶する記憶手段と、現在日時が、前記記憶手段に記憶された変更期間情報が示す変更期間内であるか否かを判定する第１の変更期間判定手段と、前記第１の変更期間判定手段で現在日時が変更期間内であると判定された場合には、前記ホームサーバ情報が示す印刷サーバとは異なる印刷サーバと通信可能に接続された画像処理装置から印刷ジョブを出力すべく、前記記憶手段に記憶されたホームサーバ情報が示す印刷サーバに蓄積された前記ユーザの印刷ジョブを、前記ユーザから指定された印刷サーバに対して転送するよう、前記ホームサーバ情報が示す印刷サーバに対して指示を行う第１の印刷ジョブ転送指示手段とを備え、前記印刷サーバは、前記第１の印刷ジョブ転送指示手段で前記ユーザの印刷ジョブの転送を指示された場合、前記ユーザから指定された印刷サーバに対して、蓄積された前記ユーザの印刷ジョブを転送する印刷ジョブ転送手段を備えることを特徴とする。
【手続補正６】
【補正対象書類名】明細書
【補正対象項目名】００１１
【補正方法】変更
【補正の内容】
【００１１】
本発明によれば、事前設定によりユーザのホームサーバに蓄積された印刷ジョブをあらかじめ転送しておくことが可能となるので、ユーザのホームサーバとは別の印刷サーバと通信可能に接続された印刷装置から出力する場合でも、印刷までの待ち時間を減らすことが可能となる効果を奏する。